(57)【要約】【課題】液状物がロッドに接触すると、Ｏリングとロッドとの間で固着し、特に開閉弁の開弁状態からロッドが復帰しなくなり、点消火ボタンをそして消火操作をしても開閉弁が閉弁しないという不都合が生じる。【解決手段】バルブ本体２の取付面２３にロッドを囲繞する凸壁２２を突設させ、かつ、凸壁２２の上方に位置して凸壁２２への液状物の流れを遮断する遮断突起２４を、取付面２３から押し操作機構３に密着するように形成し、さらに、遮断突起２４と凸壁２２との間に位置して、遮断突起２４より左右方向の寸法の長い誘導突起３３を、押し操作機構３から取付面２３に向かって、取付面２３に接触しないように突設した。そして、遮断突起２４と誘導突起３３との間に隙間を形成して、毛細管現象による液状物の流れをここで縁切りするようにした。【選択図】  図５
2010261673.tif 000002
【特許請求の範囲】
【請求項１】
ガスコンロに取り付けられた状態で、前面に位置する取付面から前方に向かって突出する前後方向に進退自在のロッドと、このロッドが後方に押し込まれることによって開弁される開閉弁とを備えたバルブ本体と、バルブ本体の取付面に連結され、前方からの押し操作によって上記ロッドを後方に押し込んで開閉弁を開弁状態に保持する押し操作機構とを備えたガスバルブ装置において、上記ロッドの上方に位置してロッドへの液状物の流れを遮断する遮断突起を、上記取付面と押し操作機構とのいずれか一方から他方に密着するように形成し、さらに、遮断突起とロッドとの間に位置して、遮断突起より左右方向の寸法の長い誘導突起を、他方から一方に向かって、遮断突起との間に所定の隙間が形成され、かつ、一方に接触しないように突設したことを特徴とするガスバルブ装置。
【請求項２】
上記誘導突起の上面に対して所定の間隔を存して対向し、誘導突起の上面を左右に流れる液状物を誘導突起の左右方向に誘導する誘導面を、上記一方から他方に対して接触しないように形成したことを特徴とする請求項１に記載のガスバルブ装置。
【発明の詳細な説明】
【技術分野】
【０００１】
本発明は、ガスコンロに内蔵され、ガスバーナへのガスの供給を制御するガスバルブ装置に関する。
【背景技術】
【０００２】
従来のこの種のガスバルブ装置として、ガスコンロに内蔵され、ガスコンロの前面に設けられた点消火ボタンを押し操作することによってガスバーナへのガスの供給を制御するものが知られている。このガスバルブ装置は開閉弁を備えたバルブ本体と、バルブ本体を通過したガスの流量を増減して火力を制御する火力調節部とを備えている。
【０００３】
バルブ本体には、ガスコンロに取り付けられた状態で前方に向かって突出するロッドを備えている。このロッドをバルブ本体に押し込むと開閉弁が開弁され、ロッドを前方に復帰させると開閉弁が閉弁する。このロッドの前後方向の動作は上記の点消火ボタンに対する押し操作によって行われるが、この点消火ボタンに対する押し操作をロッドに伝達するために、バルブ本体の前面に押し操作機構が取り付けられている。
【０００４】
この押し操作機構は、点消火ボタンが押し操作されるとロッドをバルブ本体に押し込み、開閉弁が開弁された状態でロッドの位置を保持し、さらに点消火ボタンが押し操作されるとロッドに対する保持を解除してロッドを前方に突出させ開閉弁を閉弁させる機能を有している（例えば、特許文献１参照）。
【先行技術文献】
【特許文献】
【０００５】
【特許文献１】特開２００４−６０８９８号公報（図２、図４）
【発明の概要】
【発明が解決しようとする課題】
【０００６】
上記バルブ本体の前面には押し操作機構が取り付けられる取付面が設けられており、この取付面のほぼ中央にロッドが突出して前後に移動するための開口が設けられている。なお、ロッドと開口との隙間からガスが漏出しないように、開口内にはシール部材としてＯリングが取り付けられている。
【０００７】
従来のガスバルブ装置では、この取付面に対して押し操作機構が密着するように取り付けられている。そのため、ガスコンロの上面である天板に煮こぼれ等の液状物が流れ出ると、その液状物がガスコンロ内に流れ込み、ガスバルブ装置に達する場合が生じる。バルブ本体と押し操作機構とは上記のように密着しているものの、シール性が確保される構造ではないので、毛細管現象によって両者の隙間に液状物が進入する。そしてその液状物がロッドに接触すると、Ｏリングとロッドとの間で固着し、特に開閉弁の開弁状態からロッドが復帰しなくなり、点消火ボタンを押して消火操作をしても開閉弁が閉弁しないという不都合が生じるおそれがある。
【０００８】
そこで本発明は、上記の問題点に鑑み、煮こぼれ等の液状物がロッドに接触することのないガスバルブ装置を提供することを課題とする。
【課題を解決するための手段】
【０００９】
上記課題を解決するために本発明によるガスバルブ装置は、ガスコンロに取り付けられた状態で、前面に位置する取付面から前方に向かって突出する前後方向に進退自在のロッドと、このロッドが後方に押し込まれることによって開弁される開閉弁とを備えたバルブ本体と、バルブ本体の取付面に連結され、前方からの押し操作によって上記ロッドを後方に押し込んで開閉弁を開弁状態に保持する押し操作機構とを備えたガスバルブ装置において、上記ロッドの上方に位置してロッドへの液状物の流れを遮断する遮断突起を、上記取付面と押し操作機構とのいずれか一方から他方に密着するように形成し、さらに、遮断突起とロッドとの間に位置して、遮断突起より左右方向の寸法の長い誘導突起を、他方から一方に向かって、遮断突起との間に所定の隙間が形成され、かつ、一方に接触しないように突設したことを特徴とする。
【００１０】
バルブ本体の取付面と押し操作機構との間に液状物が流れてきた場合に、液状物がロッドに直接流れないように遮断突起を設けた。ただし、遮断突起は上記一方から形成して他方に密着しているので、毛細管現象によってこの密着部分を液状物が通過するおそれがある。しかし、遮断突起と誘導突起との間に空間が設けてあるため、毛細管現象によって液状物が遮断突起の下方に進入しても、液状物の進入はそこで一度縁切りされる。そのためロッドに到着しない。また、通過した液状物は他方の表面を伝って下方に移動するので、他方側に誘導突起を設けて、通過した液状物を誘導突起の上面で捕捉する。そして、その捕捉した液状物を誘導突起の上面を伝わせてロッドの左右に誘導するようにした。なお、この誘導突起は一方側に接触していないので、誘導突起の上面を伝って流れる液状物が一方側に移動してロッドの向かって流れ落ちることはない。
【００１１】
次に、誘導突起の上面を使って左右に流れる液状物は誘導突起の左右端部から下方に流れるが、その液状物をさらに左右に誘導することが望ましい。
【００１２】
そこで、上記誘導突起の上面に対して所定の間隔を存して対向し、誘導突起の上面を左右に流れる液状物を誘導突起の左右方向に誘導する誘導面を、上記一方から他方に対して接触しないように形成する。
【００１３】
このように構成すると、誘導突起の上面を伝って流れた液状物が誘導突起の下面に回り込んで凸壁側に流れることを防止することができる。
【発明の効果】
【００１４】
以上の説明から明らかなように、本発明は、液状物がガスバルブ装置に流れてきてもバルブ本体のロッドに液状物が接触することがないので、ロッドが固着して開閉弁の開閉が阻害されるという不具合が生じない。
【図面の簡単な説明】
【００１５】
【図１】ガスバルブ装置の形状を示す斜視図
【図２】バルブ本体の取付面の形状を示す斜視図
【図３】押し操作機構に形成した誘導突起の形状を示す図
【図４】遮断突起と誘導突起との位置関係を示す断面図
【図５】液状物を流れを示す図
【発明を実施するための形態】
【００１６】
図１を参照して、１は本発明によるガスバルブ装置であり、図示しないガスコンロに内蔵されるものである。このガスバルブ装置１は電磁安全弁２０の他に後述する開閉弁を内蔵したバルブ本体２と、このバルブ本体２の上部に連結した火力調節部１１を備えている。この火力調節部１１には火力調節用のレバー１２が左右方向に揺動自在に取り付けられており、このレバー１１を左右に操作することによりガスバーナの火力が調節される。
【００１７】
バルブ本体２の前部には押し操作機構３が左右１対のネジ１３によって取り付けられている。この押し操作機構３には前方に突出する操作部３１が設けられており、図示しない点消火ボタンの後面に操作部３１の先端が当接するように構成されている。したがって、点消火ボタンを押し操作すると、その押し操作力は操作部３１に作用して操作部３１が後方に押されることになる。押し操作機構３には操作部３１が押されると押された位置で保持すると共に、再度操作部３１が押されるとその保持を解除して操作部３１を前方に復帰させる機構が内蔵されている。なお、操作部３１が後方に押された位置では後述する開閉弁が開弁されるので、操作部３１が押し込まれた位置で保持されている間は開閉弁は開弁状態を維持し、操作部３１が前方に復帰すると開閉弁は閉弁する。そして、開閉弁が開弁している状態ではガスバーナにガスが供給され、開閉弁が閉弁するとガスバーナへのガスの供給は停止される。
【００１８】
図２を参照して、バルブ本体２の前面には取付面２３が形成されている。そして、この取付面２３に対して押し操作機構３が取り付けられる。この取付面２３の中央には開閉弁に連結されたロッドが前方に突出する開口２１が形成されており、この開口２１を囲繞する凸壁２２が、取付面２３から前方に突出するように形成されている。また、この凸壁３３の上方には遮断突起２４が形成されている。この遮断突起２４の左右方向の寸法は凸壁２２の左右方向の寸法とほぼ同じ寸法に形成されており、したがって遮断突起２４によって凸壁２２は上方から覆われることにある。また、この遮断突起２４の下面から左右に延びる誘導面２５を形成した。この誘導面２５の突出量は遮断突起２４の突出量より短く設定されており、遮断突起２４より一段低くなるように形成されている。
【００１９】
また、左右にはネジ１３が螺合するネジ穴２６が形成されており、ネジ穴２６の周囲にはネジ穴２６を囲繞する座２７が設けられている。これら１対の座２７の高さは遮断突起２４の高さと同じに形成されており、押し操作機構３がネジ１３で固定されると、遮断突起２４と１対の座２７と凸壁２２の端面との合計４箇所に押し操作機構３が当接して、取付面２３や誘導面２５は押し操作機構３に接触しないように構成されている。
【００２０】
図３を参照して、押し操作機構３には上記開口２１内に嵌合する凸部３２が形成されており、ネジ１３が挿通される左右１対の貫通穴３４が形成されている。また、凸部３２の上方には誘導突起３３が形成されている。この誘導突起３３の左右方向の寸法は上記遮断突起２４の左右方向の寸法より長く設定されており、かつ左右端が若干下方に傾いて形成されている。
【００２１】
図４を参照して、押し操作機構３をバルブ本体２に取り付けると、遮断突起２４と凸壁２２とが押し操作機構３に密着し、誘導突起３３は取付面２３に接触しない。本実施の形態では、誘導突起３３と取付面２３との間に０．５ｍｍ程度の隙間が形成されるようにした。また、遮断突起２４と誘導突起３３との間には１ｍｍ程度の隙間が形成されるようにした。さらに、誘導突起３３の上面に対して誘導面２５が所定の間隔を存して対向することになる。なお、４はロッドであり、このロッド４には開閉弁４１が取り付けられている。そして、ロッド４が後方に押し込まれると開閉弁４１が後方に移動して開弁状態となり、ロッド４が前方に復帰すると弁体４１は閉弁状態になる。
【００２２】
図５を参照して、このような構成でバルブ本体２と押し操作機構３との連結部分に煮こぼれ等の液状物が流れてくると、液状物の大半は遮断突起２４の上面に沿って左右に流れてロッド４の方向には流れない。ただし、一部の液状物は遮断突起２４と押し操作機構３との密着部分を、毛細管現象によって下方に浸透して遮断突起２４の下側に到達する。ところが、上述のように遮断突起２４と誘導突起３３との間には１ｍｍ程度の隙間が確保されているので、毛細管現象による液状物の進入はこの隙間で縁切りされる。また、この進入してきた液状物は押し操作機構側の面を伝って流れるので、押し操作機構側に設けた誘導突起３３の上面で捕捉される。誘導突起３３の上面で捕捉された液状物は誘導突起３３の上面を伝って左右に流れる。
【００２３】
液状物の一部が誘導面２５に接触して、誘導突起３３の上面から誘導面２５に移ることにより誘導面２５を伝ってさらにロッドから離れた左右に誘導されてから下方に流れ落ちる。
【００２４】
このように、バルブ本体２と押し操作機構３との連結部分に煮こぼれ等の液状物が流れてきても、液状物は全て凸壁２２から離れて左右に誘導されるので、凸壁２２に囲繞されたロッド４に液状物が接触することが防止される。
【００２５】
なお、本発明は上記した形態に限定されるものではなく、本発明の要旨を逸脱しない範囲内において種々の変更を加えてもかまわない。例えば、上記の実施の形態では、遮断突起と誘導面とをバルブ本体２側に設け、誘導突起を押し操作機構３側に設けたが、各々逆側に設けても良い。
【符号の説明】
【００２６】
１  ガスバルブ装置
２  バルブ本体
３  押し操作機構
４  ロッド
２２  凸壁
２３  取付面
２４  遮断突起
２５  誘導面
３３  誘導突起
４１  開閉弁
【図１】
2010261673.tif 000003
【図２】
2010261673.tif 000004
【図３】
2010261673.tif 000005
【図４】
2010261673.tif 000006
【図５】
2010261673.tif 000007